(57)【要約】宝石品に用いられる摺動部品が開示される。摺動部品は、板体、板体の第１の側縁部から延設する摺動フランジ、および板体の第２の側縁部から延設するカシメフランジを含む。板体、摺動フランジおよびカシメフランジは、一様に平坦なシートから打抜きすることができる。【選択図】  図１
2018503422.tif 000002
【特許請求の範囲】
【請求項１】
板体と、
前記板体の第１の側縁部から延設する摺動フランジと、
前記板体の第２の側縁部から延設するカシメフランジと
を含む宝石に用いられる摺動部品。
【請求項２】
前記板体、前記摺動フランジおよび前記カシメフランジとは、一様に平坦な金属シートから打抜きされること
を特徴とする、請求項１に記載の摺動部品。
【請求項３】
前記摺動フランジおよび前記カシメフランジは、前記板体の下に丸められること
を特徴とする、請求項１に記載の摺動部品。
【請求項４】
前記摺動フランジおよび前記カシメフランジは、異なる長さを有すること
を特徴とする、請求項３に記載の摺動部品。
【請求項５】
前記摺動フランジは、バンドの一部が前記摺動フランジの中を通って軸方向に摺動することができる大きさの軸方向に延設する前記摺動管部を画定し、また前記カシメフランジに力をかけることでバンドの一部を係合できるような、前記摺動管部よりも小さいサイズの軸方向に延設するカシメ管部を画定すること
を特徴とする、請求項１に記載の摺動部品。  
【請求項６】
前記摺動フランジは、複数の摺動管部を画定するような形状であること
を特徴とする、請求項１に記載の摺動部品。
【請求項７】
前記カシメフランジは、複数のカシメ管部を画定するような形状であること
を特徴とする、請求項１に記載の摺動部品。
【請求項８】
前記摺動フランジは、その表面に塗布された被覆を含むこと
を特徴とする、請求項１に記載の摺動部品。
【請求項９】
前記被覆はテフロンを含むこと
を特徴とする、請求項８に記載の摺動部品。
【請求項１０】
前記板体は平坦であること
を特徴とする、請求項８に記載の摺動部品。
【請求項１１】
前記板体はその外表面に配置された証印を含むこと
を特徴とする、請求項１０に記載の摺動部品。
【請求項１２】
第１および第２の端部を有するバンドと、
第１の摺部部品と
前記バンドに効果的に配置された第２の摺動部品と
を含むサイズ調節可能な宝石品であって、
前記第１の摺動部品は、
板体と、
前記板体の第１の側縁部から延設する摺動フランジと、
前記板体の第２の側縁部から延設するカシメフランジと
を含み、
前記バンドの前記第１の端部が前記摺動部品に接続されるように前記カシメフランジをかしめることで、前記バンドの前記第１の端部が固定され、前記バンドが前記摺動フランジの中を通って摺動可能であること
を特徴とする、サイズ調節可能な宝石品。
【請求項１３】
前記第２の摺動部品が、
第２の板体と、
第２の板体の側縁部から延設する第２の摺動フランジと、
第２の板体の第２の側縁部から延設する第２のカシメフランジと
を含み
前記バンドの前記第２の端部が前記第２の摺動部品に接続されるように前記第２のカシメフランジをかしめることで、前記バンドの前記第２の端部が固定され、前記バンドが前記第２の摺動フランジの中を通って摺動可能であること
を特徴とする、請求項１２に記載のサイズ調節可能な宝石品。
【請求項１４】
前記バンドは、可撓性材料で作られていること
を特徴とする、請求項１３に記載のサイズ調節可能な宝石品。
【請求項１５】
前記バンドは、弾性コード材で作られていること
を特徴とする、請求項１３に記載のサイズ調節可能な宝石品。
【請求項１６】
前記バンドは、金属であること
を特徴とする、請求項１３に記載のサイズ調節可能な宝石品。
【請求項１７】
金属板製品を、少なくとも第１の側縁部と第２の側縁部を含む所定の形状に打抜きするステップと、
前記第１の側縁部を曲げて、摺動フランジを形成するステップと、
前記第２の側縁部を曲げて、カシメフランジを形成するステップと
を含む、摺動部品を製造する方法。
【請求項１８】
金属板の外表面に証印を配置するステップ
をさらに含む、請求項１７に記載の方法。
【請求項１９】
前記摺動フランジまたは前記カシメフランジを形成して、それぞれ複数の摺動管部またはカシメ管部を含むステップ
をさらに含む、請求項１７に記載の方法。
【請求項２０】
前記カシメフランジをバンドの周りにあるかしめるステップ
をさらに含む、請求項１７に記載の方法。
【発明の詳細な説明】
【技術分野】
【０００１】
本発明は、一般的に宝石に関し、より具体的には、宝石に用いられる摺動部品に関する。
【背景技術】
【０００２】
摺動部品（例：ビーズ）は、ブレスレットやネックレスなどのサイズ調節可能な宝石を創造するために用いられてきた。従来、摺動部品は鋳造または成形された形状を含んでいた。バンドの両端は、接着剤、溶接技術等を用いて摺動部品の一部に固定することができるようになっている一方、バンドの他の部分は、バンドのサイズの調節ができるように、摺動部品の摺動部の中を通ることができるようになっている。例えば、サイズ調節可能なブレスレットを開示している米国意匠特許第Ｄ７０３０８８を参照されたい。
【０００３】
従来の摺動部品は、製造とバンドへの取り付けが複雑で、さらに、バンドに施される証印のための適当な表面積が設けられていなかった。そのため、製造コストを削減し、バンドへの簡易的な取り付けが要求される宝石のバンド用の改良された摺動部品が必要とされる。
【０００４】
本開示は、この必要性に対する解決法を提供する。
【発明の概要】
【０００５】
本発明の目的および利点が、以下の明細書に記載され明らかとなる。本発明の追加の利点が、明細書およびその特許請求の範囲、ならびに添付の図面において特に指摘された装置、システムおよび方法によって実現および達成される。
【０００６】
前記および他の利点を達成するために、また本発明の目的に従って、一態様において具現化されているように、宝石に用いられる摺動部品は、板体、板体の第１の側縁部から延設する摺動フランジ、板体の第２の側縁部から延設するカシメフランジを含む。
【０００７】
前記板体、前記摺動フランジおよび前記カシメフランジは、一様に平坦な金属シートから打抜きすることができる。前記摺動フランジおよび前記カシメフランジは、前記板体の下に丸めることができる。いくつかの実施形態において、前記摺動フランジおよび前記カシメフランジは、異なる長さを有することができる。
【０００８】
前記摺動フランジは、バンドの一部が前記摺動フランジの中を通って軸方向に摺動することができる大きさの軸方向に延設する摺動管部を画定することができる。前記カシメフランジに力をかけてバンドの一部を係合することができるような、前記カシメフランジは前記摺動管部よりも小さいサイズの軸方向に延設するカシメ管部を画定することができる。  
【０００９】
いくつかの実施形態において、前記摺動フランジは、複数の摺動管部を画定するような形状にすることができ、前記カシメフランジは複数のカシメ管部を画定するような形状にすることができる。
【００１０】
前記摺動フランジは、その表面上に塗布された被覆を含むことができる。前記被覆は、テフロン（登録商標）、または前記バンドの摺動抵抗を低減するための任意の他の適切な被覆を含むことができる。
【００１１】
前記板体は、平坦、または任意の他の適切な形状にすることができる。前記板体は、その表面上に配置された証印を含むことができる。
【００１２】
サイズ調節可能な宝石品は、本明細書に記載されるように、第１および第２の端部を有するバンド並びに第１の摺動部品および第２の摺動部品を含むことができる。前記バンドの前記第１の端部が前記第１の摺動部品に接続され、かつ、前記バンドが前記第１の摺動フランジの中を通って摺動可能なように、前記バンドの前記第１の端部が前記カシメフランジをかしめることで固定される。
【００１３】
前記第２の摺動部品もまた、本明細書に記載されるような摺動部品とすることができ、前記第２の端部が前記第２の摺動部品に接続され、かつ、前記第２の摺動フランジの中を通って摺動可能なように、前記バンドが前記第２のフランジをかしめることで固定される。前記第２の摺動部品は、任意の他の適切な摺動部品とすることができる。
【００１４】
前記バンドは、可撓性材料で作ることができる。例えば、前記バンドは弾性紐材料で作ることができる。いくつかの実施形態において、前記バンドは金属および／または鎖である。
【００１５】
摺動部品の製造方法は、金属板製品を、少なくとも第１の側縁部および第２の側縁部を含む所定の形状に打抜き、第１の側縁部を曲げて摺動フランジを形成し、第２の側縁部を曲げてカシメフランジを形成することを含む。
【００１６】
前記方法はさらに、前記金属板の外表面に証印を配置することを含む。前記方法はさらに、前記摺動フランジまたは前記カシメフランジを形成することを含み、それぞれ複数の摺動管部またはカシメ管部を含むことができる。前記方法はさらに、バンドの周りにある前記カシメフランジをかしめることを含むことができる。
【図面の簡単な説明】
【００１７】
本発明が属する技術分野における通常の知識を有する者が、本発明の装置および方法を利用する方法をより容易に理解することができるように、本発明の実施形態が、図面を参照して以下に詳細に説明される。    
【００１８】
【図１】図１は、本発明の実施形態の斜視図を示すものである。
【図２】図２は、図１の摺動部品の上面図を示すものである。
【図３】図３は、図１の摺動部品の底面図を示すものである。
【図４】図４は、図１の摺動部品を２つ用いた宝石品の斜視図を示すものである。
【図５】図５は、本開示に係る摺動部品の実施形態の斜視図を示すものであり、摺動フランジの表面に塗布された被覆を示している。
【図６】図６は、本開示に係る摺動部品の実施形態の斜視図を示すものであり、前記摺動部品は、各フランジによって画定された複数の管部を有する。
【００１９】
本開示の前記および他の態様は、図面と併せて、本発明の以下の詳細な説明から、当業者にとってより容易に明らかとなるであろう。
【発明を実施するための形態】
【００２０】
次に本開示の実施形態について、例示的な実施形態が示されている添付の図面を参照して、より十分に記載する。以下に説明する例示的な実施形態は、当業者により理解されるような様々な形式で具現化することができる一例に過ぎないので、本開示は例示的な実施形態に何ら限定されるものではない。ゆえに、本明細書に開示された任意の構造および機能の詳細は、限定的なものとして解釈されず、単に特許請求の範囲の基礎として、また本明細書に開示された実施形態をさまざまに利用する当業者に教示するための代表的なものと解釈されることを理解されたい。さらに、本明細書で使用される用語および語句は限定的なものではなく、むしろ本明細書における実施形態を分かりやすく説明するためのものである。
【００２１】
本開示は通常、宝石品およびその摺動部品に関する。次に図面を記述的に参照すると、類似の参照番号はいくつかの図を通じて類似の部品を示す。図１は、本開示に従って構成された摺動部品１００の実施形態を描写するものである。摺動部品１００は、所望の摺動構成に形成できる任意の適切な材料（例：金属、複合材料）を含む板体１０１を含む。
【００２２】
摺動フランジ１０５は、板体１０１の第１の側方から延設するとともに、バンドの一部（例：図４のバンド４００）が摺動フランジ１０５の中を通って摺動することができるように構成される摺動管部サイズ（例：直径、幅、長さおよび／または任意の他の適切な寸法）を有する摺動管部１０５ａを画定する。
【００２３】
カシメフランジ１０３は、板体１０１の下に、板体１０１の第２の側方から延設する。カシメフランジ１０３はカシメ管部１０３ａを画定する。カシメフランジ１０３は、摺動管部より小さいサイズ（例：直径、幅、長さおよび／または任意の他の適切な寸法）を有するように、前記バンドの上に配置し、かしめることができる。このように、カシメフランジ１０３に力をかけて前記バンドをカシメフランジ１０３に対して動かないように係合することで、摺動部品１００を前記バンドに固定することができる。
【００２４】
いくつかの実施形態において、板体１０１、摺動フランジ１０５およびカシメフランジ１０３を平坦な金属シートから打抜きすることができる。カシメフランジ１０３および摺動フランジ１０５は、適切な打抜き金型を利用した打抜きのプロセスの間に曲げることができる。各フランジは、打抜きの後に別途行う曲げ加工ステップにおいて曲げることもできる。摺動部品１００を形成する任意の他の適切な方法が、本明細書で考えられる。
【００２５】
摺動フランジ１０５およびカシメフランジ１０３は、同一または異なる長さを有することができ、任意の適切な形状にすることができる。摺動フランジ１０５および／またはカシメフランジ１０３は、図１に示すように板体１０１の下に丸めることができる。しかしながら、当業者であれば、摺動フランジ１０５およびカシメフランジ１０３は、図示のように（例えば、上側に丸めたフランジ、および下側に丸めたフランジ）、板体１０１の互いに反対側で丸めることができることが、容易に理解するであろう。
【００２６】
図５を参照すると、いくつかの実施形態において、摺動部品２００は、板体２１０、カシメ管部２０３ａを画定するカシメフランジ２０３、および摺動管部２０５ａを画定する摺動フランジ２０５を含むことができ、カシメフランジ２０３および摺動フランジ２０５は、前記のカシメフランジ１０３および摺動フランジ１０５と同様に機能する。図示のように摺動フランジ２０５は、その表面上（例えば、摺動管部２０５ａ内）に塗布される被覆２０７を含むことができる。被覆２０７は、テフロン、または前記バンド（例えば、鎖バンド）が摺動フランジ２０５の中を通って摺動する際の摺動抵抗を低減するための任意の他の適切な被覆を含むことができる。
【００２７】
図６を参照すると、いくつかの実施形態において、摺動部品２００は板体３０１、カシメフランジ３０３および摺動フランジ３０５を含むことができ、それらは、前記のカシメフランジ１０３、２０３および摺動フランジ１０５、２０５と同様に機能する。しかしながら、図示のように摺動フランジ３０５は、複数の摺動管部を画定するような形状にすることができ、および／またはカシメフランジ３０３は、複数のカシメ管部３０３ａ、３０３ｂを画定するような形状にすることができる。１または複数の摺動管部３０５ａ、３０５ｂは、前記の被覆２０７と類似の被覆３０７を含むことができる。
【００２８】
図４を参照すると、符号３９９によって識別されるサイズ調節可能な宝石品が示される。サイズ調節可能な宝石品３９９は、第１の端部４０１および第２の端部４０３を有するバンド４００、および少なくとも２つの前記の摺動部品１００を含む。前記の摺動部品１００を１つだけ配置することができるのに対し、第２の摺動部品は任意の他の適切な摺動部品とすることが考えられる。
【００２９】
バンド４００の第１の端部４０１は、第１の端部４０１が第１の摺動部品１００に固定されるように、第１の摺動部品１００のカシメフランジ１０３によって画定されるカシメ管部１０３ａの中で固定される。バンド４００は、第２の摺動部品１００の摺動フランジ１０５、および第１の摺動部品１００の摺動フランジ１０５の中に配置される。バンド４００の第２の端部４０３は、第２の摺動部品１００に固定されるように、第２のカシメフランジ１０３の中で固定される。このように構成することで、サイズ調節可能な宝石品３９９（例えば、ブレスレット、ネックレス）を可能にする。
【００３０】
バンド４００は、可撓性材料で作ることができる。いくつかの実施形態において、バンド４００は弾性コード材で作ることができる。他の実施形態では、バンド４００は金属（例えば、金属ワイヤ、鎖）である。摺動部品１００をかしめる、あるいは摺動部品１００に力をかけて嵌め合わせることを可能にする任意の適切な材料が本明細書で考えられる。
【００３１】
本開示の別の態様によれば、摺動部品１００の製造方法は、金属板製品を少なくとも第１の側縁部と第２の側縁部を有する所定の形状に打抜くことを含む。前記方法はさらに、前記のように第１の側縁部を曲げて摺動フランジ１０５を形成し、および、前記のように第２の側縁部を曲げてカシメフランジ１０３を形成することを含む。任意の適切な方法で、金属板製品を打抜きする間または打抜いた後に、曲げ加工を行うことができる。  
【００３２】
前記方法はさらに、金属板の外側表面に証印を配置することを含む。前記方法はさらに、摺動フランジ１０５またはカシメフランジ１０３を形成し、それぞれが複数の摺動管部またはカシメ管部を含むことができる。前記方法はさらに、バンド４００の周りにあるカシメフランジ１０３をかしめることを含む。
【００３３】
前記方法はさらに、摺動フランジ１０５の表面に前記の被覆２０７を塗布することを含むことができる。被覆２０７の塗布は、前記方法の任意の適切な部分に行うことができる。例えば、被覆２０７は、金属板の一部を曲げて摺動フランジ１０５を形成する前に、金属板の一部に塗布することができる。被覆２０７は、摺動フランジ１０５を形成した後に塗布することもできる。
【００３４】
値の範囲を示す場合において、その範囲中に存在する各値は、その範囲の上限と下限との間およびその範囲内のいかなる他のまたはその中に存在する値も、もし文脈で明白に別段の方法で記述しなければ、下限の単位の１０分の１まで、本発明に含まれるものとする。これらのより狭い範囲の上限と下限とは、この狭い範囲の中に独立して含まれていてもよく、またその記述した範囲内の特に除外したいずれかの限界値に属していても本発明に含まれるものとする。記述する範囲が、１つまたは双方の限界値を含んでいる場合、これらの含まれている一方のまたは双方の限界値以外の範囲も本開示の中に含まれるものとする
【００３５】
特に定義しない限り、本明細書で使用されるすべての技術および科学用語は、本開示が属する技術分野の当業者によって通常理解されるのと同じ意味を有する。本明細書に記載の方法および材料と類似または同等の任意の方法および材料は、本開示の実施または試験においても使用することができるが、例示的な方法および材料を説明する。本明細書に記載したすべての刊行物は、それと関連して刊行物が引用される方法および／または材料を開示ならびに説明するように参照することによって本明細書に組み込まれる。
【００３６】
本明細書および添付の特許請求の範囲で使用されるように、単数形「ａ」、「ａｎ」、および「ｔｈｅ」は、文脈が単数形に限定することを明確に指示していない限り、複数の指示対象を含んでいることに留意が必要である。ゆえに、例えば、「ａ  ｓｔｉｍｕｌｕｓ」への言及は、複数の刺激を含み、「ｔｈｅ  ｓｉｇｎａｌ」への言及は、当業者に公知の１または複数の信号およびそれらの同等物への言及を含む。
【００３７】
上記の説明および添付の図面は、例示的な意味で解釈すべきであり、限定された意味で解釈すべきではない。本発明は、本明細書に開示された実施形態に関連して開示してきたが、本開示および以下の請求項の範囲内にある他の実施形態があり得ることを理解すべきである。請求項が、特定の機能を実行する手段またはステップとして表現されることが、たとえあるとしても、そのような請求項は、本明細書に記載の対応の構造、材料または作用およびそれらの均等物を含むように解釈されるものとする。均等物とは、構造的均等物および等価構成の両方、材料ベースの均等物および等価材料の両方、ならびに作用ベースの均等物および等価作用の両方を含む。
【図１】
2018503422.tif 000003
【図２】
2018503422.tif 000004
【図３】
2018503422.tif 000005
【図４】
2018503422.tif 000006
【図５】
2018503422.tif 000007
【図６】
2018503422.tif 000008
【国際調査報告】
2018503422.tif 000009
2018503422.tif 000010